(57)【要約】【課題】  コアの目の粗さが相互に異なる２つ以上のクーラ体が並設されていても、目の細かいクーラ体の方にも十分な量の冷却風を通過させて冷却することができる冷却装置を提供することを目的とする。【解決手段】  冷却風Ｆの流路上に、相互に目の粗さが異なるコア２ａ，２ｂを有する２つ以上のクーラ体１ａ，１ｂが並設される。そして、下流側３には、２つ以上のクーラ体１ａ，１ｂを通過した冷却風Ｆが当たる下流側クーラ体10が配設される。  さらに、２つ以上のクーラ体１ａ，１ｂのうち相対的にコアの目の粗い粗目側クーラ体１ａと、下流側クーラ体10との間に、２つのコア２ａ，２ｂを通過する冷却風Ｆの偏りを防ぐ整流板体４を配設した。【選択図】  図１
2005083675.tif 000002
【特許請求の範囲】
【請求項１】
相互に目の粗さが異なるコア（２ａ)(２ｂ）を有する２つ以上並設されたクーラ体（１ａ)(１ｂ）のうち、相対的にコアの目の粗い粗目側クーラ体（１ａ）の流路上に、上記コア（２ａ)(２ｂ）を通過する冷却風（Ｆ）の偏りを防ぐ整流板体（４）を配設したことを特徴とする冷却装置。
【請求項２】
冷却風（Ｆ）の流路上に、相互に目の粗さが異なるコア（２ａ)(２ｂ）を有する２つ以上のクーラ体（１ａ)(１ｂ）が並設されると共に、下流側（３）には、該２つ以上のクーラ体（１ａ)(１ｂ）を通過した冷却風（Ｆ）が当たる下流側クーラ体（10）が配設された冷却装置に於て、
上記２つ以上のクーラ体（１ａ)(１ｂ）のうち相対的にコアの目の粗い粗目側クーラ体（１ａ）と、上記下流側クーラ体（10）との間に、上記コア（２ａ)(２ｂ）を通過する冷却風（Ｆ）の偏りを防ぐ整流板体（４）を配設したことを特徴とする冷却装置。
【発明の詳細な説明】
【技術分野】
【０００１】
本発明は、オイルクーラ，インタークーラ，ラジエータ等の冷却装置に関するものである。
【背景技術】
【０００２】
従来の冷却装置として、複数個のオイルクーラ，インタークーラ，エアコンコンデンサ等のクーラ体が配設され、冷却風がそれらのクーラ体のコアを通過して、冷却するものが知られている（例えば、特許文献１）。
【特許文献１】特開２００２−３７１８４４号公報
【発明の開示】
【発明が解決しようとする課題】
【０００３】
この従来の冷却装置に於て、並設されたクーラ体のコアの目の粗さが相互に異なる場合、冷却風が目の粗い方のクーラ体に偏って流れ易く、目の細かいクーラ体を通過する風量が少なくなってしまう。
すると、コアの目の細かい方のクーラ体は冷却不良になったり、目詰まりを起こす虞れがある。
【０００４】
そこで、本発明は、コアの目の粗さが相互に異なる複数個のクーラ体が並設されていても、目の細かいクーラ体の方にも十分な量の冷却風を通過させて冷却することができる冷却装置を提供することを目的とする。
【課題を解決するための手段】
【０００５】
相互に目の粗さが異なるコアを有する２つ以上並設されたクーラ体のうち、相対的にコアの目の粗い粗目側クーラ体の流路上に、上記コアを通過する冷却風の偏りを防ぐ整流板体を配設した。
【０００６】
また、冷却風の流路上に、相互に目の粗さが異なるコアを有する２つ以上のクーラ体が並設されると共に、下流側には、２つ以上のクーラ体を通過した冷却風が当たる下流側クーラ体が配設された冷却装置に於て、２つ以上のクーラ体のうち相対的にコアの目の粗い粗目側クーラ体と、下流側クーラ体との間に、上記コアを通過する冷却風の偏りを防ぐ整流板体を配設した。
【発明の効果】
【０００７】
本発明は、次のような著大な効果を奏する。
【０００８】
粗目側クーラ体を通過する冷却風に抵抗が付与され、粗目側クーラ体への風量が制限されて、細目側クーラ体に供給される冷却風の風量が増加して、細目側クーラ体の熱交換を十分に行い得る。
よって、簡素な構造の整流板体を配設するだけで、２つ以上のクーラ体は、夫々、冷却不良や目詰まりを起こす虞れがなくなる。
【０００９】
さらに、上流側の２つ以上のクーラ体から下流側クーラ体のコアに供給される冷却風は、位置による風量差が少なくなるので、コアは、全面にわたって整流されて万遍なく冷却され、下流側クーラ体の熱効率改善にも役立つ。
【発明を実施するための最良の形態】
【００１０】
以下、実施の形態を示す図面に基づき、本発明を詳説する。
図１，図２に於て、本発明に係る冷却装置Ｒは、建設車両や建設機械等に搭載されるものであって、コア２を有する複数のクーラ体１を備え、エンジン11を内蔵するエンジンフード12等の内部に設置されている。
即ち、上記冷却装置Ｒは、相互に目の粗さが異なるコア２ａ，２ｂを有し並設された２つ以上のクーラ体１ａ，１ｂを有する。
１ａは、目が粗いコア２ａを有する粗目側クーラ体で、例えば、インタークーラである。
また、１ｂは、（クーラ体１ａに比べ）相対的に目が細かいコア２ｂを有する細目側クーラ体であって、例えば、オイルクーラである。
【００１１】
また、冷却装置Ｒは、並設されたクーラ体１ａ，１ｂの上流側に配設されクーラ体１ａ，１ｂへ１次側の冷却風Ｆを供給するファン７と、上記クーラ体１ａ，１ｂの下流側３に配設されクーラ体１ａ，１ｂのコア２ａ，２ｂを通過した冷却風Ｆ1 ，Ｆ2 が当たる下流側クーラ体10と、を有し、下流側クーラ体10は、例えばラジエータである。
なお、図例では、クーラ体１ａ，１ｂは上下に並設されているが、左右に並設されてもよい。
また、エンジンフード12内には、冷却風Ｆを逃さずにコアに当てるシュラウド16が、ファン７とクーラ体の上下左右（全周）を包囲して、配設されており、16ａは上壁部で、16ｂは下壁部である。
【００１２】
そして、粗目側クーラ体１ａの流路上に、上記両コア２ａ，２ｂを通過する冷却風Ｆの偏りを防ぐ整流板体４が、両側に配設された一対の固定フレーム13，13にボルトナット等にて固定して、配設される。
具体的には、整流板体４は、粗目側クーラ体１ａと略同一横幅を有し粗目側クーラ体１ａよりも短い縦方向長さを有する略長方形状である。
【００１３】
そして、整流板体４は、一辺側４ａをクーラ体１ａ，１ｂの境界部８附近に沿うように、粗目側クーラ体１ａと下流側クーラ体10との間に配設されると共に、他辺側４ｂを下流側へ傾斜状となるように配設される。
即ち、側面から見て整流板体４が、粗目側クーラ体１ａの下流側鉛直面から、他辺側（上辺側）４ｂが次第に離れる方向に傾斜している。
このとき、他辺側４ｂが、下流側クーラ体10のコア20に接触しないようにする。
【００１４】
次に、上述のような冷却装置Ｒの機能（作用）について説明する。
図１，図２に於て、ファン７から冷却風Ｆが供給され、粗目側クーラ体１ａのコア２ａと、細目側クーラ体１ｂのコア２ｂを通過する。
【００１５】
ここで、冷却風Ｆは、目の細かいコア２ｂよりも、目の粗いコア２ａの方を通過し易いので、粗目側クーラ体１ａのコア２ａを通過する冷却風Ｆ1 は、細目側クーラ体１ｂのコア２ｂを通過する冷却風Ｆ2 よりも多くなろうとするが、整流板体４の存在によって、細目側クーラ体１ｂに対応する下流側クーラ体10の面積が増加することで、細目側クーラ体１ｂの下流側の抵抗が減少し、冷却風Ｆ2 が増加する。
【００１６】
さらには、上記冷却風Ｆ1 と冷却風Ｆ2 との差が小さくなることで、冷却風Ｆが、下流側クーラ体10のコア20の全面にわたって、整流されて万遍なく供給されるようになる。
【００１７】
以上のように、本発明に係る冷却装置Ｒは、相互に目の粗さが異なるコア２ａ，２ｂを有する２つ以上並設されたクーラ体１ａ，１ｂのうち、相対的にコアの目の粗い粗目側クーラ体１ａの流路上に、両コア２ａ，２ｂを通過する冷却風Ｆの偏りを防ぐ整流板体４を配設しているので、粗目側クーラ体１ａを通過する冷却風Ｆ1 に抵抗を付与して、細目側クーラ体１ｂに供給される冷却風Ｆを、細目側クーラ体１ｂに偏向させて（導いて）、そのコア２ｂにも十分な量の冷却風Ｆ2 を通過させることができる。
よって、簡素な構造の整流板体４を配設するだけで、並設された２つ以上のクーラ体は、夫々、冷却不良や目詰まりを起こす虞れがなくなる。
【００１８】
また、冷却風Ｆの流路上に、相互に目の粗さが異なるコア２ａ，２ｂを有する２つ以上のクーラ体１ａ，１ｂが並設されると共に、下流側３には、２つ以上のクーラ体１ａ，１ｂを通過した冷却風Ｆが当たる下流側クーラ体10が配設された冷却装置に於て、２つ以上のクーラ体１ａ，１ｂのうち相対的にコアの目の粗い粗目側クーラ体１ａと、下流側クーラ体10との間に、粗目側クーラ体１ａを通過する冷却風Ｆが多くなろうとする偏りを防ぐ整流板体４を配設しているので、細目側クーラ体１ｂに供給される冷却風Ｆを、増加させて、細目側クーラ体１ｂに偏向させて十分な量の冷却風Ｆ2 を通過させることができる。  よって、簡素な構造の整流板体４を配設するだけで、２つ以上のクーラ体は、夫々、冷却不良や目詰まりを起こす虞れがなくなる。
さらに、上流側のクーラ体から下流側クーラ体10に供給される冷却風は、位置による風量差が少なくなるので、コア20は、全面にわたって整流されて万遍なく冷却され好都合である。
【００１９】
なお、本発明の冷却装置Ｒは、上述のような実施に限定されず設計変更可能である。
即ち、ファン７と上流側クーラ体１ａ，１ｂとの間のスペースに余裕があれば、整流板体４を粗目側クーラ体１ａの上流側に配設しても良い。そして、粗目側クーラ体１ａと略同一横幅を有する略長方形状の整流板体４を、一辺側４ａをクーラ体１ａ，１ｂの境界部８附近に沿うように、粗目側クーラ体１ａの上流側に配設すると共に、他辺側４ｂを上流側へ傾斜状となるように配設する。
この構成でも、図１，図２に於て詳説した冷却装置Ｒと、同様の効果を得られる。
さらに、粗目側クーラ体１ａの上流側又は下流側に、複数の帯板を、間隔を置いて配設してもよい。
【００２０】
なお、整流板体４は、上下中間付近に形成された折れ曲り部14にて、上板部41を下板部42に対して下流側へさらに傾斜状として、形成されている。これにより、整流板体４は剛性がアップし、冷却風Ｆの風圧による振動が防がれ、騒音を発生しない。また、整流板体４は、固定箇所への風圧の応力集中を防ぐことができ、たわみが防がれ、耐久性がアップする。
【図面の簡単な説明】
【００２１】
【図１】本発明に係る冷却装置の実施の一形態を示す要部側面図である。
【図２】分解斜視図である。
【符号の説明】
【００２２】
１，１ａ，１ｂ  クーラ体
２，２ａ，２ｂ  コア
３  下流側
４  整流板体
10  下流側クーラ体
Ｆ  冷却風
Ｒ  冷却装置
【図１】
2005083675.tif 000003
【図２】
2005083675.tif 000004